(57)【特許請求の範囲】
【請求項１】
接地面を有するアウトソールと、前記アウトソールの上に配置されたミッドソールとを備えた靴底であって、前記ミッドソールは、
踵骨の下端を含む足の内側の後端および足の外側の後端を支持する後端領域Ｒと、
前記後端領域Ｒの前記内側の前端から第１趾の基節骨の骨底まで延び、前記後端領域Ｒを除く足の内側を支持する内側領域Ｍと、
前記後端領域Ｒの前記外側の前端から第４趾の基節骨の骨底および第５趾の基節骨の骨底まで延び前記後端領域Ｒを除く足の外側を支持する外側領域Ｌとを備え、
前記外側領域Ｌは、外側縁を含む外側寄りの第１領域Ｌ１と、中央寄りの第２領域Ｌ２とを包含し、
前記第１領域Ｌ１の圧縮剛性は、前記内側領域Ｍの圧縮剛性よりも大きく、かつ、前記後端領域Ｒの圧縮剛性よりも大きく、かつ、前記第２領域Ｌ２の圧縮剛性よりも大きく、
前記第１領域Ｌ１は第５趾の基節骨の骨底を支持し、
前記第２領域Ｌ２は第４趾の基節骨の骨底を支持し、
前記第１領域Ｌ１は前記後端領域Ｒの前記外側の前端から前記第５趾の基節骨の骨底まで延び、
前記ミッドソールは圧縮剛性の大きい発泡体の層と圧縮剛性の小さい発泡体の層とを備え、
前記外側領域Ｌは前記圧縮剛性の大きい発泡体の層を有し、
前記内側領域Ｍと、前記後端領域Ｒと、前記外側領域Ｌの先端側の領域を含む先端領域Ｆとが前記圧縮剛性の小さい発泡体の層を有し、
互いに圧縮剛性の異なる発泡体の境界面により、前記後端領域Ｒの外側の前端部には前記ミッドソールの上面から下面に向かうに従い後方に向かって延びる傾斜面Ｒｆが形成され、
互いに圧縮剛性の異なる発泡体の境界面により前記第１領域Ｌ１の前端面Ｌｆには前記傾斜面Ｒｆとは逆の傾きの傾斜面が形成されている、靴底。
【請求項２】
請求項１において、前記第１領域Ｌ１は前記ミッドソールの下面から上面まで前記圧縮剛性の大きい発泡体で形成されている、靴底。
【請求項３】
請求項１において、前記靴底はアッパー内に収容された中敷を備え、
前記踵骨の前端から第５趾の小趾球Ｏ５までの間において、前記中敷の外側部は内外の中心から外側縁に向かって徐々に厚く形成されている、靴底。
【請求項４】
請求項１，２もしくは３において、前記第２領域Ｌ２の圧縮剛性は、前記内側領域Ｍの圧縮剛性よりも大きい、靴底。
【請求項５】
接地面を有するアウトソールと、前記アウトソールの上に配置されたミッドソールとを備えた靴底であって、前記ミッドソールは、
踵骨の下端を含む足の内側の後端および足の外側の後端を支持する後端領域Ｒと、
前記後端領域Ｒの前記内側の前端から第１趾の基節骨の骨底まで延び、前記後端領域Ｒを除く足の内側を支持する内側領域Ｍと、
前記後端領域Ｒの前記外側の前端から第４趾の基節骨の骨底および第５趾の基節骨の骨底まで延び前記後端領域Ｒを除く足の外側を支持する外側領域Ｌとを備え、
前記外側領域Ｌは、外側縁を含む外側寄りの第１領域Ｌ１と、中央寄りの第２領域Ｌ２とを包含し、
前記第１領域Ｌ１の硬度は、前記内側領域Ｍの硬度よりも大きく、かつ、前記後端領域Ｒの硬度よりも大きく、かつ、前記第２領域Ｌ２の硬度よりも大きく、
前記第１領域Ｌ１は第５趾の基節骨の骨底を支持し、
前記第２領域Ｌ２は第４趾の基節骨の骨底を支持し、
前記第１領域Ｌ１は前記後端領域Ｒの前記外側の前端から前記第５趾の基節骨の骨底まで延び、
前記ミッドソールは硬度の大きい発泡体の層と硬度の小さい発泡体の層とを備え、
前記外側領域Ｌは前記硬度の大きい発泡体の層を有し、
前記内側領域Ｍと、前記後端領域Ｒと、前記外側領域Ｌの先端側の領域を含む先端領域Ｆとが前記硬度の小さい発泡体の層を有し、
互いに硬度の異なる発泡体の境界面により、前記後端領域Ｒの外側の前端部には前記ミッドソールの上面から下面に向かうに従い後方に向かって延びる傾斜面Ｒｆが形成され、
互いに硬度の異なる発泡体の境界面により前記第１領域Ｌ１の前端面Ｌｆには前記傾斜面Ｒｆとは逆の傾きの傾斜面が形成されている、靴底。
【請求項６】
請求項５において、前記第１領域Ｌ１は前記ミッドソールの下面から上面まで前記硬度の大きい発泡体で形成されている、靴底。
【請求項７】
請求項６において、前記内側領域Ｍは前記硬度の小さい発泡体の層で形成されており、
前記第２領域Ｌ２は硬度の大きい下層と、前記下層よりも硬度の小さい上層とが互いに積層され、
前記第２領域Ｌ２の硬い下層が前記ミッドソールの内外の中心から前記第１領域Ｌ１に向かうに従い徐々に厚く形成されている、靴底。
【請求項８】
請求項５または６において、前記靴底はアッパー内に収容された中敷を備え、
前記踵骨の前端から第５趾の小趾球Ｏ５までの間において、前記中敷の外側部は内外の中心から外側縁に向かって徐々に厚く形成されている、靴底。
【請求項９】
請求項５〜８のいずれか１項において、前記第２領域の硬度は、前記内側領域の硬度よりも大きい、靴底。
【請求項１０】
請求項１もしくは５において、前記先端領域Ｆは第１趾〜第４趾の各末節骨を支持する、靴底。
【請求項１１】
請求項６において、前記内側領域Ｍと前記外側領域Ｌは前記ミッドソールを内外に概ね２等分する仮想の中心線ＣＬによって内外に区画され、
前記硬度の大きい前記下層が前記内側領域Ｍに配置されずに前記外側領域Ｌに配置されている、靴底。
【請求項１２】
請求項１１において、前記第２領域Ｌ２の硬い前記下層が前記ミッドソールの内外の中心から前記第１領域Ｌ１に向かうに従い徐々に厚く形成されている、靴底。
【請求項１３】
請求項１２において、前記先端領域Ｆにおいて第１趾〜第４趾の各末節骨を前記硬度の小さい発泡体が支持する、靴底。
【発明の詳細な説明】
【技術分野】
【０００１】
本発明はＯ脚の人に適した靴および靴底に関する。
【背景技術】
【０００２】
Ｏ脚の人に適した靴や靴底は種々提案されている。先行技術としては靴底や中敷に足の内側が低く外側が高い傾斜を設けたり、膝の負担を軽減したり、快適で美しい歩行ができることを狙ったものが知られている。
【０００３】
また、プロネーションやサピネーションを抑制するための靴底も知られている。
また、靴底の外側に硬質部分を設けたものも知られている。
【先行技術文献】
【特許文献】
【０００４】
【特許文献１】ＪＰ０８−２０５９０４Ａ（フロントページ）
【特許文献２】ＪＰ３０４９２６５Ｙ（フロントページ）
【特許文献３】ＪＰ３０３１７３９Ｙ（フロントページ）
【特許文献４】ＪＰ２００８−２９５９７５Ａ（フロントページ）
【特許文献５】ＪＰ５９−３８９１４Ｙ（フロントページ）
【特許文献６】ＪＰ２０１１−５２０５４８Ｗ（フロントページ）
【特許文献７】ＪＰ２００６−１９８００７Ａ（フロントページ）
【特許文献８】ＪＰ３１０６９２１Ｙ（フロントページ）
【特許文献９】ＪＰ５８−４９１０１Ａ（図２）
【特許文献１０】ＪＰ２０００−８３７０４Ａ（フロントページ）
【特許文献１１】ＪＰ３０４７７４４Ｙ（フロントページ）
【特許文献１２】ＪＰ０５−３２９００５Ａ（フロントページ）
【特許文献１３】ＪＰ２００７−１３５８２７Ａ（フロントページ）
【特許文献１４】ＪＰ２００７−１５９５９７Ａ（フロントページ）
【特許文献１５】ＷＯ２００７／０４６１３３Ａ１（フロントページ）
【特許文献１６】ＷＯ２０１０／１３７０６８Ａ１（フロントページ）
【特許文献１７】ＪＰ２０１３／４６６６７Ａ（フロントページ）
【特許文献１８】ＪＰ６２−２００９０４Ｙ（フロントページ）
【特許文献１９】ＷＯ２０１３／１６８２５６Ａ１（フロントページ）
【特許文献２０】ＪＰ２００４−２１６０８１Ａ（図１、図２段落０００６，０００７））
【発明の概要】
【０００５】
前記特許文献２０には、Ｏ脚を矯正することを狙ったサンダルが開示されている。同文献の図１に開示されたサンダルは、サンダル台の踵の部分の内側の一部が緩衝スペーサにより構成されている。一方、同サンダルの踵の部分の外側はサンダル台が配置されている。
しかし、同文献には同サンダルの前足部の内外において硬度差を設けることは開示されていない。また、踵の内側および外側の後端を硬度の小さい素材で支持する事も開示されていない。
【０００６】
前記特許文献２０の図２に開示されたサンダルは、サンダル台または底板の上に耐圧スペーサまたは中間材が配置されている。中間材よりも硬くて変形しにくい耐圧スペーサは踵の部分の外側の一部を構成する。
【０００７】
しかし、同文献には同サンダルの前足部の内外において硬度差を設けることは開示されていない。また、踵の内側および外側の後端を硬度の小さい素材で支持することも開示されていない。
【０００８】
また、同文献の図２の発明は、踵の部分の外側の一部を耐圧スペーサ６等で支持することにより、踵の部分に加えられる圧迫力に対して外側の方が圧縮量が小さいことを特徴とする。したがって、同文献の発明に、踵後端の外側を柔らかい部材で支持する技術を取り込むには大きな阻害要因が存在する。
【０００９】
前足部が内外で均一の硬度である場合、下腿が内側へ倒れにくく、Ｏ脚矯正効果が少ないかもしれない。また、硬い踵の後端はファストストライクの際の衝撃が大きく、Ｏ脚で屈曲した膝に負担を加えるかもしれない。
【００１０】
特許文献１９に開示された靴底の発明は、外側が硬く、内側が柔らかい。しかし、前足部の外側の上層部は後足部の内側と同様の通常の硬度である。そのため、Ｏ脚用の靴としては内側への倒れが不十分となるであろう。
更に、踵後端の外側が硬く、同靴底がスタビライザを設けて足の横振れ防止を目的としていることから、踵後端を柔構造とする技術と組み合わせるには、大きな阻害要因が存在する。
【００１１】
本発明の目的は、膝の負担を軽減し易く、かつ、下腿の内側への倒れを期待し得る、Ｏ脚の人に適した靴および靴底を提供することである。
【００１２】
本発明の靴底の共通の構成は、接地面を有するアウトソールと、前記アウトソールの上に配置されたミッドソールとを備えた靴底であって、
前記ミッドソールは、
踵骨の下端を含む足の内側の後端および足の外側の後端を支持する後端領域Ｒと、
前記後端領域Ｒの前記内側の前端から第１趾の基節骨の骨底まで延び、前記後端領域Ｒを除く足の内側を支持する内側領域Ｍと、
前記後端領域Ｒの前記外側の前端から第４趾の基節骨の骨底および第５趾の基節骨の骨底まで延び前記後端領域Ｒを除く足の外側を支持する外側領域Ｌとを備え、
前記外側領域Ｌは、外側縁を含む外側寄りの第１領域Ｌ１と、中央寄りの第２領域Ｌ２とを包含する。
【００１３】
本靴底は１つの局面において、
前記第１領域Ｌ１の圧縮剛性の平均値が、前記内側領域Ｍの圧縮剛性の平均値よりも大きく、かつ、前記後端領域Ｒの圧縮剛性の平均値よりも大きく、かつ、前記第２領域Ｌ２の圧縮剛性の平均値よりも大きいことを特徴とする。
【００１４】
すなわち、本１つの局面においては、
前記第１領域Ｌ１の硬度の平均値が、前記内側領域Ｍの硬度の平均値よりも大きく、かつ、前記後端領域Ｒの硬度の平均値よりも大きく、かつ、前記第２領域Ｌ２の硬度の平均値よりも大きいであろう。
【００１５】
これらの局面においては、内側領域Ｍや第２領域Ｌ２よりも第１領域Ｌ１の方が圧縮剛性または硬度の平均値が大きい。そのため、歩行や走行時に、足裏の第５趾の部位やその後方が硬い第１領域Ｌ１により支持され、足裏の内反を防止し得るだろう。すなわち、図９の下腿傾き角θが小さくなるのを抑制し、Ｏ脚傾向となるのを抑制し得るだろう。
【００１６】
一方、後端領域Ｒは足の内側だけでなく、外側の後端も第１領域Ｌ１の圧縮剛性または硬度の平均値よりも小さく、柔軟である。したがって、歩行や走行の際に最大の衝撃力が生じるファストストライク時に、最初に接地する外側の後端において、前記衝撃力を吸収ないし散逸し、膝に加わる負荷を小さくすることができるだろう。
【００１７】
また、内側領域Ｍだけでなく第２領域Ｌ２の圧縮剛性または硬度の平均値は、前記第１領域Ｌ１のそれよりも小さい。そのため、前記ファストストライク後のフットフラットに至るまでの間やフットフラット時、更にはヒールライズ時において、足裏は外側の第５趾が硬い第１領域Ｌ１に支えられつつ、内側の第１趾が下方に変位し、そのため、足裏が外反するような傾向となる。すなわち、図９の下腿傾き角θが大きくなり易く、これにより、Ｏ脚傾向となるのを抑制し得るだろう。
【００１８】
前記１つの局面において、好ましくは、前記第２領域Ｌ２の圧縮剛性または硬度の平均値が、前記内側領域Ｍの圧縮剛性または硬度の平均値よりも大きい。
【００１９】
この場合、内側領域Ｍの圧縮剛性または硬度の平均値が第１領域Ｌ１だけでなく第２領域Ｌ２のそれよりも小さい。そのため、前記内側の第１趾が下方に変位する際に、第２趾や第３趾も下方に変位し易くなる。したがって、Ｏ脚傾向となるのを抑制し得るだろう。
【００２０】
本靴底は別の局面において、
前記第１領域Ｌ１の圧縮剛性の平均値が、前記内側領域Ｍの圧縮剛性の平均値よりも大きく、かつ、前記後端領域Ｒの圧縮剛性の平均値よりも大きく、
前記第２領域Ｌ２の圧縮剛性の平均値は、前記内側領域Ｍの圧縮剛性の平均値よりも大きいことを特徴とする。
【００２１】
すなわち、本別の局面においては、
前記第１領域Ｌ１の硬度の平均値が、前記内側領域Ｍの硬度の平均値よりも大きく、かつ、前記後端領域Ｒの硬度の平均値よりも大きく、
前記第２領域Ｌ２の硬度の平均値は、前記内側領域Ｍの硬度の平均値よりも大きいだろう。
【００２２】
これらの別の局面においては、内側領域Ｍよりも第１領域Ｌ１の方が圧縮剛性または硬度の平均値が大きい。そのため、歩行や走行時に、足裏の第５趾の部位やその後方が硬い第１領域Ｌ１により支持され、足裏の内反を防止し得るだろう。すなわち、図９の下腿傾き角θが小さくなるのを抑制し、Ｏ脚傾向となるのを抑制し得るだろう。
【００２３】
一方、後端領域Ｒは足の内側だけでなく、外側の後端も第１領域Ｌ１の圧縮剛性または硬度の平均値よりも小さく、柔軟である。したがって、前述と同様に膝に加わる負荷を小さくすることができるだろう。
【００２４】
また、内側領域Ｍの圧縮剛性または硬度の平均値が第１領域Ｌ１だけでなく第２領域Ｌ２のそれよりも小さい。そのため、前記内側の第１趾が下方に変位する際に、第２趾や第３趾も下方に変位し易くなる。したがって、Ｏ脚傾向となるのを抑制し得るだろう。
【００２５】
本発明において、圧縮剛性の平均値Ｅは、下記の（１）式で算出することができる。
Ｅ＝σ／ε＝ＰＴ／λＡ…（１）
σ：垂直応力（σ＝Ｐ／Ａ）の平均値
ε：縦ひずみ（ε＝λ／Ｔ）の平均値
Ｐ：１つの領域に加わる荷重
Ａ：１つの領域の面積
λ：ミッドソールの縮み
Ｔ：ミッドソールの圧縮前の厚さ
【００２６】
一方、本発明において、硬度の平均値Ｈについては以下のように把握することができる。
【００２７】
１つの領域が均一な硬度Ｈの発泡体で形成されている場合には、当該硬度が硬度の平均値Ｈとなる。
【００２８】
１つの領域において互いに異硬度の２以上の発泡体が積層されている場合には、下記の（２）式でおおよそ算出することができる。
Ｈ＝（Ｈ１Ｔ１＋…＋ＨｉＴｉ＋…ＨｎＴｎ）／Ｔ…（２）
但し、
Ｔ＝Ｔ１＋…＋Ｔｉ＋…Ｔｎ
Ｈ１：１つの層の硬度
Ｔ１：硬度Ｈ１の層の平均厚さ
Ｈｉ：任意の層の硬度
Ｔｉ：硬度Ｈｉの層の平均厚さ
Ｈｎ：別の層の硬度
Ｔｎ：硬度Ｈｎの層の平均厚さ
【００２９】
他方、１つの領域において部分的に低硬度又は高硬度の部位がある場合には、下記の（３）式でおおよそ算出することができる。
Ｈ＝（Ｈ１Ａ１＋…＋ＨｉＡｉ＋…＋ＨｎＡｎ）／Ａ…（３）
但し、
Ａ＝Ａ１＋…＋Ａｉ＋…＋Ａｎ
Ｈ１：１つの領域の一部分の硬度
Ａ１：硬度Ｈ１の部分の面積
Ｈｉ：任意の部分の硬度
Ａｉ：硬度Ｈｉの部分の面積
Ｈｎ：別の一部分の硬度
Ａｎ：硬度Ｈｎの部分の面積
【００３０】
本発明において、各領域の硬度としては例えば下記の値を採用してもよい。
【００３１】
低硬度の内側領域Ｍの硬度範囲は、ＪＩＳＣ硬度で４０°〜６０°程度が好ましく、４２°〜５５°程度がより好ましく、４５°〜５５°程度が最も好ましい。前記内側領域Ｍの硬度が小さすぎると足を支えにくく、一方、硬度が大きすぎると第１領域Ｌ１との硬度差が得にくい。
【００３２】
高硬度の第１領域Ｌ１の硬度範囲は、ＪＩＳＣ硬度で５５°〜７５°程度が好ましく、６０°〜７２°程度がより好ましく、６３°〜７０°程度が最も好ましい。前記外側領域Ｌ１の硬度が大きすぎると膝への負担が増大し、一方、硬度が小さすぎると内側領域Ｍとの硬度差が得にくい。
【００３３】
前記第１領域Ｌ１と内側領域Ｍとの硬度差は、ＪＩＳＣ硬度で８°〜３０°程度が好ましく、１０°〜２５°程度が更に好ましい。硬度差が小さすぎると脚の倒れを期待しにくく、硬度差が大きすぎると足裏に違和感が生じ易い。
【００３４】
本ミッドソールは発泡体からなる粘弾性体で形成されるが、かかる粘弾性体の硬度と圧縮剛性との間には強い相関関係がある。すなわち、硬度が大きい場合は圧縮剛性も大きく、一方、硬度が小さい場合は圧縮剛性も小さい。なお、本発明の効果を阻害しない範囲で、ミッドソールの内部に、「発泡体からなる粘弾性体」以外の部材を配置してもよい。ミッドソールの内部に、「発泡体からなる粘弾性体」以外の部材、例えば、非発泡の樹脂部材等が配置されている場合、「発泡体からなる粘弾性体」以外の部材を除いて、ミッドソールの圧縮剛性または硬度を算出する。
【００３５】
高圧縮剛性の第１領域Ｌ１と低圧縮剛性の内側領域Ｍとの間の中間の剛性は、中間の硬度を有する素材で形成してもよいし、２種の硬度の発泡体を積層して形成してもよい。
【図面の簡単な説明】
【００３６】
【図１】本発明の実施例にかかるミッドソールの平面図および外側面図である。
【図２】図２Ａは本発明の理解に役立つ参考例におけるミッドソールの横断面図、図２Ｂは本発明の第１実施例の横断面図である。
【図３】本発明の理解に役立つ別の参考例におけるミッドソールの上層を示す平面図、外側面図および背面図である。
【図４】本発明の理解に役立つ別の参考例におけるミッドソールの下層を示す平面図、外側面図および背面図である。
【図５】本発明の別の実施例にかかるミッドソールを示す平面図および外側面図である。
【図６】同ミッドソールの横断面図である。
【図７】本発明の理解に役立つ別の参考例にかかるミッドソールを示す平面図および外側面図である。
【図８】本発明の理解に役立つ別の参考例にかかる靴の横断面図およびミッドソールの平面図である。
【図９】試験結果を示す図表である。
【図１０】本発明の理解に役立つ別の参考例にかかる中敷の平面図、側面図および横断面図である。
【図１１】ミッドソールの他の実施例にかかる横断面図である。
【発明を実施するための形態】
【００３７】
好ましくは、前記第２領域Ｌ２は１つの層と、前記層よりも圧縮剛性または硬度の小さい別の層とが上下に互いに積層されて形成されている。
【００３８】
この場合、第２領域Ｌ２の圧縮剛性または硬度を積層状態により、任意に設定でき、前記効果を発揮し易い。すなわち、第２領域Ｌ２において、上下に互いに積層された各層が持つ各性質が発揮されるので、第２領域Ｌ２の設計自由度が向上するだろう。
【００３９】
好ましくは、前記第２領域Ｌ２は下層と、前記下層よりも圧縮剛性または硬度の小さい上層とが互いに積層されている。
【００４０】
この場合、第２領域Ｌ２において、柔軟な上層が足裏の近くに配置されるので、足裏に違和感を生じにくいだけでなく、第２領域Ｌ２の下層は硬いので、足裏が外反するのを助長するだろう。
【００４１】
好ましくは、前記後端領域Ｒは一部または全部の領域において、前記下層と、前記上層とが互いに積層されている。
【００４２】
この場合、第２領域Ｌ２において、柔軟な上層が足裏の近くに配置されるので、足裏に違和感や着地の衝撃を生じにくいだろう。別の効果としては、下層が硬いので、足裏が外反するのを助長するだろう。
【００４３】
好ましくは、前記第１領域Ｌ１は第５趾の基節骨の骨底を支持し、
前記第２領域Ｌ２は第３趾および／または第４趾の基節骨の骨底を支持する。
【００４４】
第５趾は歩行や走行のフットフラット等の際に足を支える重要な役割があり、この第５趾の基節骨の骨底を硬い第１領域Ｌ１で支持することにより、足裏の内反の抑制と外反の助長を図り得るだろう。
【００４５】
好ましくは、前記後端領域Ｒは後方に向かって拡がる扇状に形成されている。
【００４６】
この場合、扇状の柔軟な後端領域Ｒは、着地時に足の後端の外側から着地する着用者だけでなく、足の後端の中央部分から着地する着用者においても、前記衝撃の緩衝性を高めるだろう。別の効果としては、歩行や走行時に、踵から爪先へ向かって、重心が移動する際、硬度が徐々に変化するので、違和感が無く、体重移動がスムーズになるだろう。
【００４７】
好ましくは、前記第１領域Ｌ１の後端のラインは、ミッドソールの外縁から斜め前方に向かって延びている。
【００４８】
この場合、第１領域Ｌ１と後端領域Ｒとの境界は、前記斜め前方に向かって延びたラインとなる。そのため、前記衝撃を受け易い踵骨の下端を第１領域Ｌ１よりは柔軟な後端領域Ｒで支持し易くなり、第１領域Ｌ１を後方まで延ばして配置することができるだろう。別の効果としては、歩行や走行時に、踵から爪先へ向かって、重心が移動する際、硬度が徐々に変化するので、違和感が無く、体重移動がスムーズになるだろう。
【００４９】
好ましくは、前記後端領域Ｒの外側の前端部にはミッドソールの上面から下面に向かうに従い後方に向かって延び、互いに硬度の異なる発泡体の境界面による傾斜面が形成されている。
【００５０】
ファストストライク直後のフットフラットに移行する際に、後端領域Ｒから前方に負荷が移動する。前記傾斜面は後端領域Ｒと第１領域Ｌ１との硬さの違いを着用者に感じにくくさせるだろう。なお、「互いに硬度の異なる発泡体の境界面による傾斜面」には、互いに硬度の異なる発泡体同士が接着等により接していてもよいし、互いに硬度の異なる発泡体が溶着等によって混ざり合っている部分が存在していてもよい。
【００５１】
好ましくは、前記ミッドソールの硬度は前記アウトソールの硬度よりも小さい。
【００５２】
この場合、アウトソールよりも柔軟なミッドソールが足裏の近くに配置されるので、足裏に違和感を生じにくいだろう。別の効果としては、アウトソールよりも柔軟なミッドソールは膝への負担を小さくするだろう。
【００５３】
本発明にかかる靴は、接地面を有するアウトソールと、前記アウトソール上に配置されたミッドソールとを備え、
前記ミッドソールは、
足の内側を支持する内側領域Ｍと、
足の外側を支持する外側領域Ｌとを備え、
前記外側領域Ｌの圧縮剛性の平均値は、前記内側領域Ｍのそれよりも大きく、
前記中敷は前記アッパー内に収納され、
前記中敷は内側部の厚さの平均値に比べ、外側部の厚さの平均値が大きく、かつ、踵骨の前端から第５趾の基節骨の骨底までの間において、前記外側部は内外の中心から外側縁に向かって徐々に厚く形成されている。
【００５４】
この場合、硬い外側領域Ｌから柔軟な内側領域Ｍに向かって脚が倒れ易いだろう。また、外側部の厚い中敷は前記脚の倒れを助長するであろう。したがって、Ｏ脚の着用者に適した靴となるであろう。
【００５５】
１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。
【実施例】
【００５６】
本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【００５７】
以下、本発明の概念的な実施例を図１および図２Ｂにしたがって説明する。
図１および図２Ｂにおいて、靴底は路面に接地する接地面を持つアウトソール２と、前記アウトソール２の上に配置されたミッドソール１とを備える。
【００５８】
ミッドソール１は、たとえば、ＥＶＡ（エチレン―酢酸ビニル共重合体）などの熱可塑性樹脂の発泡体などの衝撃吸収に適した素材で形成される。一方、アウトソール２は、たとえば、ゴムの発泡体や非発泡体などの耐摩耗性に優れた素材で形成される。
【００５９】
図１において、前記ミッドソール１は、前足部１Ｆ、中足部１Ｍおよび後足部１Ｒの全域にわたって設けられている。一方、図２Ｂのアウトソール２は少なくとも前足部および後足部に設けられている。
【００６０】
図１の前記前足部１Ｆ、中足部１Ｍおよび後足部１Ｒとは、それぞれ、図１の足の前足、中足および後足を覆う部位を意味する。前記前足は５本の中足骨と１４個の趾骨からなる。前記中足は舟状骨、立方骨および３個の楔状骨からなる。前記後足は距骨および踵骨Ｂｃからなる。
【００６１】
前記ミッドソール１は、後端領域Ｒ、内側領域Ｍおよび外側領域Ｌとを備える。内側領域Ｍと外側領域Ｌはミッドソール１を内外に概ね２等分する仮想の中心線ＣＬによって、内外に区画されてもよい。
【００６２】
図１において前記後端領域Ｒは後方に向かって拡がる扇状に形成されており、踵骨Ｂｃの下端Ｂｅを含む足の内側の後端および足の外側の後端を支持する。
【００６３】
前記内側領域Ｍは前記後端領域Ｒの前記内側の前端から少なくとも第１趾の基節骨Ｂ１の骨底まで延び、本実施例の場合、ミッドソール１の先端まで延び、前記後端領域Ｒを除く足の内側を支持する。すなわち内側領域Ｍは中足部１Ｍよりも後方から中足部１Ｍよりも前方まで延び、したがって、内側領域Ｍは後足部１Ｒの前端部、中足部１Ｍおよび前足部１Ｆの後部を含む。
【００６４】
前記外側領域Ｌは前記後端領域Ｒの前記外側の前端から第４趾の基節骨Ｂ４の骨底および第５趾の基節骨Ｂ５の骨底まで延び前記後端領域Ｒを除く足の外側を支持する。すなわち外側領域Ｌは中足部１Ｍよりも後方から中足部１Ｍよりも前方まで延び、したがって、外側領域Ｌは後足部１Ｒの前端部、中足部１Ｍおよび前足部１Ｆの後部を含む。
【００６５】
前記内側領域Ｍおよび外側領域Ｌは、それぞれ、踵骨Ｂｃの内側および外側の前端部を覆い、一方、前記後端領域Ｒは踵骨Ｂｃの後端部を覆う。
【００６６】
なお、骨底とは各趾節骨における後方の関節に近い部位で若干膨らんだ部位をいい、近位骨頭とも呼ばれている。
【００６７】
前記外側領域Ｌは、外側縁を含む外側寄りの第１領域Ｌ１と、前記第１領域Ｌ１に隣接した中央寄りの第２領域Ｌ２とを包含する。本実施例の場合、前記第１領域Ｌ１は第５趾の基節骨Ｂ５の骨底を支持し、
前記第２領域Ｌ２は第３趾および／または第４趾の基節骨Ｂ４の骨底を支持する。
【００６８】
本ミッドソール１は、図２において網点を施した硬度および圧縮剛性の大きい発泡体の層と、それらが小さい発泡体の層とを備える。前記第１領域Ｌ１はミッドソール１の下面から上面まで硬度および圧縮剛性の大きい発泡体で形成されている。
【００６９】
前記第２領域Ｌ２は硬度および圧縮剛性の大きい下層Ｌｂと、前記下層Ｌｂよりも硬度および圧縮剛性の小さい上層Ｌｕとが互いに積層され、図１および図２Ｂの例においては、第２領域Ｌ２の硬い下層Ｌｂがミッドソール１の内外の中心から第１領域Ｌ１に向かうに従い徐々に厚く形成されている。
【００７０】
なお、各図において、圧縮剛性の大きい部位には大きな網点が付され、圧縮剛性が中間的である部位には小さな網点が付されている。
【００７１】
前記第１領域Ｌ１の圧縮剛性の平均値は、前記内側領域Ｍの圧縮剛性の平均値よりも大きく、かつ、前記後端領域Ｒの圧縮剛性の平均値よりも大きく、かつ、前記第２領域Ｌ２の圧縮剛性の平均値よりも大きい。すなわち、前記第１領域Ｌ１の硬度の平均値は、前記内側領域Ｍの硬度の平均値よりも大きく、かつ、前記後端領域Ｒの硬度の平均値よりも大きく、かつ、前記第２領域Ｌ２の硬度の平均値よりも大きい。
【００７２】
前記第２領域Ｌ２の圧縮剛性の平均値は、前記内側領域Ｍの圧縮剛性の平均値よりも大きい。すなわち、前記第２領域Ｌ２の硬度の平均値は、前記内側領域Ｍの硬度の平均値よりも大きい。
【００７３】
前記後端領域Ｒは一部または全部の領域において、下層Ｌｂと、前記下層Ｌｂよりも硬度の小さい上層Ｌｕとが互いに積層されている。たとえば、本例の場合、図１Ａに示すように、外側領域Ｌの後端において、硬いミッドソールの層と柔軟なミッドソールの層と界面は傾斜面を形成している。すなわち、前記後端領域Ｒの外側の前端部にはミッドソール１の上面から下面に向かうに従い後方に向かって延びる傾斜面Ｒｆが形成されている。
なお、前記第１領域Ｌ１の前端面Ｌｆには、前記傾斜面Ｒｆと逆の傾きの傾斜面が形成されていてもよい。
【００７４】
前記第１領域Ｌ１の後端のラインＬ１１は、ミッドソール１の外縁から斜め前方に向かって延びている。なお、本例の場合、第１趾、第２趾、第３趾、第４趾の各末節骨を支持するミッドソール１の先端領域Ｆは、内側領域Ｍと同程度の硬度および圧縮剛性を有する。
【００７５】
前記実施例の場合、図１のミッドソール１は軟質の発泡体に予め凹所を設け、この凹所に硬質の発泡体嵌め込むように形成されている。しかし、図２Ａに示すように、ミッドソール１は上下に積層された上ミッドソール３および下ミッドソール４を備えていてもよい。以下、その一例について説明する。
【００７６】
図３の上ミッドソール３と図４の下ミッドソール４とは互いに上下に積層される。なお、図４Ａに示すように、下ミッドソール４には貫通孔４Ｈが設けられていてもよい。
【００７７】
図３Ａにおいて、上ミッドソール３は、硬度の大きい第１領域Ｌ１と、硬度の小さい他の領域Ｌ２，Ｍ，Ｒとを備える。一方、図４Ａにおいて、下ミッドソール４は硬度の小さい内側領域Ｍと、硬度の大きい他の領域Ｌ１，Ｌ２，Ｒとを備える。なお、本例の場合、先端領域Ｆの内側および外側は、それぞれ、内側領域Ｍおよび外側領域Ｌと同程度の硬度および圧縮剛性を有する。
【００７８】
したがって、上下に積層されたミッドソール１において、第１領域Ｌ１は最も圧縮剛性が大きく、内側領域Ｍは最も圧縮剛性が小さく、第２領域Ｌ２および後端領域Ｒはその中間の圧縮剛性となる。なお、図３Ａおよび図４Ａにおいて、積層した場合に圧縮剛性の互いに異なる境界ラインを二点鎖線で示した。
【００７９】
図５および図６は他の例を示す。
図５Ｂおよび図６に示すように、ミッドソール１の内外には上方に向かって巻き上げる巻上部を有していてもよい。
また、図６Ａ〜図６Ｃに示すように、ミッドソール１の上面には、外側から内側に向かって緩やかに下る傾斜が設けられていてもよい。
【００８０】
図７は更に他の例を示す。本例においてはミッドソール１は上下に積層されておらず、３つの異なる硬度の発泡体が内外に互いに成型時に溶着されている。第１領域Ｌ１の発泡体は最も硬度および圧縮剛性が大きく、内側領域Ｍの発泡体は最も硬度および圧縮剛性が小さく、第２領域Ｌ２および後端領域Ｒの発泡体はその中間の硬度および圧縮剛性を有する。
【００８１】
図８Ａおよび図８Ｂは本発明の理解に役立つ別の参考例にかかる靴およびミッドソールを示す。
図８Ａに示すように、靴底１，２とアッパー８と中敷９とを備える。アッパー８は足の甲を覆う。
【００８２】
前記ミッドソール１の上にはインソール（中底）７が接着される。前記インソール７の更に上には中敷９がアッパー８内に装着される。中敷９はインソール７の表面に粘着されていても、粘着および接着されていなくてもよい。
【００８３】
本例の場合、図８Ｂのミッドソール１は第１領域Ｌ１のみが硬度および圧縮剛性が大きく、その他の領域Ｌ２，Ｍ，Ｒは硬度および圧縮剛性が前記第１領域Ｌ１よりも小さい。
【００８４】
前記中敷９は前記アッパー８に着脱可能に収納されている。図１０に示すように、前記中敷９は内側の中足部、後足部の巻上部分を除き、内側部９Ｍの厚さの平均値に比べ、外側部９Ｌの厚さの平均値が大きい。また、図１０Ａ、図１０Ｄ、図１０Ｅおよび図１０Ｆに示すように、踵骨Ｂｃ（図１）の前端から小趾球Ｏ５（図１）までの間において、好ましくは、第５趾の基節骨Ｂ５の骨頭までの間において、前記外側部９Ｌは内外の中心から外側縁９Ｅに向かって徐々に厚く形成されている。
【００８５】
本例のような中敷９を採用する場合、ミッドソール１は図８Ｃのものも採用し得る。すなわち、図８Ｃにおいて、ミッドソール１は第１領域Ｌ１および第２領域Ｌ２の硬度および圧縮剛性が大きく、その他の領域Ｍ，Ｒの硬度および圧縮剛性が前記第１領域Ｌ１および第２領域Ｌ２よりも小さい。
【００８６】
図１１はミッドソール１の他の例を示す。
図１１Ａのように、ミッドソール１の表面に低反発の発泡体１０（いわゆるメモリーフォーム）を積層してもよい。
図１１Ｂのように、第２領域Ｌ２の上層Ｌｕが高硬度で、下層Ｌｂが低硬度であってもよい。
図１１Ｃのように、第１領域Ｌ１を構成する高硬度の発泡体が内側領域Ｍの一部に延びていてもよい。
【００８７】
低硬度の発泡体は低反発の発泡体で形成されていてもよい。また、ミッドソールの硬度は無段階に異なっていてもよい。
【００８８】
つぎに、本発明の試験例および比較例を用いたテストについて説明する。
図９の図表に示すように、本テストでは２種類のミッドソール１，１００および中敷９，９０を用いた。
【００８９】
ミッドソール１としては図１のミッドソール１と硬度が均一の一般的なミッドソール１００を用いた。中敷９としては図１０の中敷９と一般的な中敷９０を用いた。
【００９０】
テストは５人の着用者が約６ｋｍ／ｈで歩行した際における図９の下腿傾き角θを測定した。測定結果を図９の折れ線グラフに示す。
【００９１】
この図表から、個人差があるものの、本ミッドソール１および中敷９を組み合わせたＴｅｓｔ２や本ミッドソール１を用いたＴｅｓｔ１には、下腿傾き角θを改善し得る可能性があることが分かる。
【００９２】
以上のとおり、図面を参照しながら好適な実施例を説明したが、当業者であれば、本明細書を見て、自明な範囲内で種々の変更および修正を容易に想定するであろう。
たとえば、ミッドソールの下面に非発泡体の樹脂プレートが付着されてもよい。
また、ミッドソール第１領域Ｌ１の硬度はアウトソールの硬度以上であってもよい。
したがって、そのような変更および修正は、本発明の範囲のものと解釈される。
【産業上の利用可能性】
【００９３】
本発明はＯ脚の人に適した靴および靴底として用いることができる。
【符号の説明】
【００９４】
１：ミッドソール  １Ｆ：前足部  １Ｍ：中足部  １Ｒ：後足部
２：アウトソール  
３：上ミッドソール
４：下ミッドソール  ４Ｈ：貫通孔
６：スペーサ
７：インソール（中底）
８：アッパー
９：中敷  ９Ｍ：内側部  ９Ｌ：外側部
１０：低反発の発泡体
９０：中敷
１００：ミッドソール
Ｂ１：基節骨  Ｂ４：基節骨  Ｂ５：基節骨  Ｂｃ：踵骨  Ｂｅ：下端  Ｏ５：小趾球
Ｌ：外側領域  Ｌ１：第１領域  Ｌ１１：ライン  Ｌ２：第２領域  Ｌｂ：下層  
Ｌｕ：上層  Ｌｆ：前端面  
Ｍ：内側領域
Ｒ：後端領域  Ｒｆ：傾斜面
ＣＬ：中心線
θ：下腿傾き角
【図１】
0006639078.tif 000002
【図２】
0006639078.tif 000003
【図３】
0006639078.tif 000004
【図４】
0006639078.tif 000005
【図５】
0006639078.tif 000006
【図６】
0006639078.tif 000007
【図７】
0006639078.tif 000008
【図８】
0006639078.tif 000009
【図９】
0006639078.tif 000010
【図１０】
0006639078.tif 000011
【図１１】
0006639078.tif 000012